(57)【要約】【課題】より面白い装飾時計を提供すること。【解決手段】回転可能に設けられた回転板５００と、回転板の正面側に配置された指針２２０と、回転板及び指針の間に配置された支持体６００と、支持体に配置された飾り体７１０，７２０，７３０，７４０と、支持体に配置されるとともに飾り体を駆動する飾り体駆動機構８００とを備えた構成の装飾時計である。【選択図】        図１
2004191292.tif 000002
【特許請求の範囲】
【請求項１】
回転可能に設けられた回転板と、前記回転板の正面側に配置された指針と、前記回転板及び前記指針の間に配置された支持体と、前記支持体に配置された飾り体と、前記支持体に配置されるとともに前記飾り体を駆動する飾り体駆動機構とを備えたことを特徴とする装飾時計。
【発明の詳細な説明】
【０００１】
【発明の属する技術分野】
本発明は、飾り体を駆動可能に設けることによりその装飾性を向上した時計に関する。
【０００２】
【従来の技術】
壁掛け時計や置き時計は、装飾性に優れたものが好まれる傾向にあり、この種の時計としては、飾り体を駆動可能に設け、これを定常的に又は所定のタイミングでモータ駆動する装飾時計が広く知られている。例えば下記の特許文献１乃至３等にも、それぞれ工夫を凝らした装飾時計が記載されている。
【０００３】
【特許文献１】特開平７−２４４１７３号公報
【特許文献２】特開平１１−１１８９４８号公報
【特許文献３】特開２０００−１７１５７４号公報
【発明が解決しようとする課題】
さて近年、このような装飾時計は、更に奇抜で斬新なものが求められており、本発明は、かつてないデザイン及び動きを得るべく構造的工夫を検討し、より面白い装飾時計を提供することを目的としている。
【０００４】
【課題を解決するための手段】
本願第１請求項に記載した発明は、回転可能に設けられた回転板と、前記回転板の正面側に配置された指針と、前記回転板及び前記指針の間に配置された支持体と、前記支持体に配置された飾り体と、前記支持体に配置されるとともに前記飾り体を駆動する飾り体駆動機構とを備えた構成の装飾時計である。このような構成によると、より面白い装飾時計が得られる。
【発明の実施の形態】
以下に、本発明の具体例を図面に基づいて詳細に説明する。図１乃至図４に示す本例の装飾時計１は、標準電波を受信してその時刻を修正するアナログ式電波修正時計である。この装飾時計１は、内部を中板１１０にて前後に区画し且つ正面に透明板１２０を装着してなる時計ケース１００を備え、指針２２０を駆動するムーブメント２００は、指針パイプ２１０を中板１１０に貫通した状態で中板１１０の裏面に設けられている。また中板１１０後方のスペースには、標準電波を受信するアンテナ３００や、振り子４００及び振り子駆動回路４１０等が設けられている。
【０００５】
更にこれらの図に示すように、本例の装飾時計１は、指針パイプ２１０を貫通しつつ中板１１０と指針２２０との間に回転可能に設けられた回転板５００と、指針パイプ２１０を貫通しつつ回転板５００及び指針２２０の間に配置された支持体６００と、支持体６００に配置された複数の飾り体７１０，７２０，７３０，７４０と、支持体６００に配置されるとともにこれらの飾り体７１０，７２０，７３０，７４０を駆動する飾り体駆動機構８００とを備えたものである。また特に、中板１１０後方のスペースにはモータ９００が設けられており、回転板５００、及び各飾り体７１０，７２０，７３０，７４０は、このモータ９００を動力として同時に回転及び駆動する構成となっている。尚、図中の１３０は、装飾時計１の輸送時等に利用するロック手段である。このロック手段１３０は、各部材にそれぞれ設けた孔部に棒体を挿通してそれらの相対移動を抑止し、振動等の影響による破損や故障を防止するものである。装飾時計１は、棒体を抜いた後に使用される。
【０００６】
回転板５００は、中板１１０の要所に設けられた複数のプーリ５１０に支持されるとともに、指針パイプ２１０を中心に回転可能に設けられている。また、回転板５００の裏面にはリング状のギア体５２０が設けられており、中板１１０にはギア体５２０に対応する円形溝１１１が形成されている。この円形溝１１１の要所には切欠部１１２が設けられている。一方、モータ９００の出力軸９１０には回転板駆動用ギア９２０が噛合されている。ギア体５２０は、切欠部１１２を通じて回転板駆動用ギア９２０と噛合しており、回転板５００は、モータ９００のトルクにて所定の方向に回転する構成となっている。図２及び図４中の矢印は、回転板５００の回転方向を示している。
【０００７】
本例の場合、モータ９００は、不図示の制御回路にて制御されており、正時になると始動して、回転板５００がｎ回転（ｎは自然数）したところで停止する構成となっている。回転板５００の回転数は、所定の検出手段にて検出される。図例した検出手段は、回転板５００にカム部５３０を設けるとともに、中板１１０にレバー５４０及びスイッチ５５０を設けてなるものである。つまり、カム部５３０に係合したレバー５４０が回転板５００の回転に応じてスイッチ５５０を操作することにより、回転板５００の回転数を検出する構成となっている。
【０００８】
本例の支持体６００は、回転板５００を跨ぐように中板１１０に複数の支柱６１０で固定された偏平状の箱体である。
【０００９】
第１飾り体７１０、第２飾り体７２０、及び第３飾り体７３０は、支持体６００の側面から食み出した状態に配置されている。また図５に示すように、第１飾り体７１０、第２飾り体７２０、及び第３飾り体７３０は、それらの支軸７１１，７２１，７３１を支持体６００に支持されることにより、支持体６００に対してそれぞれ揺動可能に設けられている。更に第４飾り体７４０は、その支軸７４１を第３飾り体７３０に支持されることにより、第３飾り体７３０に対して揺動可能に設けられている。
【００１０】
飾り体駆動機構８００は、支持体６００の内部に設けられた輪列からなるものであり、図例したものは、中板１１０を貫通したモータ９００の出力軸９１０の先端部と噛合した駆動伝達ギア９３０と、この駆動伝達ギア９３０と噛合した第１ギア８１０と、第１ギア８１０と噛合した第２ギア８２０と、第２ギア８２０と噛合した第３ギア８３０と、第３ギア８３０と噛合した第４ギア８４０と、第４ギア８４０と噛合した第５ギア８５０とを備えたものである。
【００１１】
第１飾り体７１０及び第３ギア８３０の要所には、互いに係合するガイド部７１２及び係止片８３１がそれぞれ設けられており、第１飾り体７１０は、第３ギア８３０が回転するとともに支持体６００に対して揺動する。
【００１２】
第１飾り体７１０及び第２飾り体７２０の要所には、互いに係合するガイド部７２２及び係止片７１３がそれぞれ設けられており、第２飾り体７２０は、第１飾り体７１０が揺動するとともに支持体６００に対して揺動する。
【００１３】
更に、第３飾り体７３０及び第５ギア８５０の要所には、互いに係合するガイド部７３２及び係止片８５１がそれぞれ設けられており、第３飾り体７３０は、第５ギア８５０が回転するとともに支持体６００に対して揺動する。尚、第３飾り体７３０の要所には、指針パイプ２１０との干渉を回避する長孔状の指針パイプ貫通部７３３が設けられている。
【００１４】
また、第４飾り体７４０及び支持体６００の要所には、互いに係合するガイド部７４２及び係止片６０１がそれぞれ設けられており、第４飾り体７４０は、第３飾り体７３０が揺動するとともに第３飾り体７３０に対して揺動する。
【００１５】
尚、各飾り体７１０，７２０，７３０，７４０は、重量バランスの問題から、それらの動きがやや不安定になる場合も考えられる。そのような場合は、例えば図６に示すように、飾り体７３０の要所に所定の重さのバランサ７３４を設けるとよい。又は図７に示すように、飾り体７３０を持ち上げる方向に付勢する弾性体を設けてもよい。図７に示す弾性体は、飾り体７３０の支軸７３１に装着したコイルばね７３５であり、コイルばね７３５の一端を飾り体７３０の外部に当接するとともに、他端を飾り体７３０に設けたコイルばね係止部７３６に当接して設けられている。或いは図８に示すように、飾り体７３０の支軸７３１にテンションリングバネ７３７及びスライダ部材７３８を設け、飾り体７３０とそれらとの摩擦により飾り体７３０の動きを安定化させることも可能である。
【００１６】
このように、本例の装飾時計１は、回転板５００と指針２２０との間に支持体６００を配置し、更にこの支持体６００に複数の飾り体７１０，７２０，７３０，７４０を駆動可能に配置してなるものであって、回転板５００とその前方の複数の飾り体７１０，７２０，７３０，７４０が同時に動くことにより、立体感のある印象的な動作が醸し出されるものである。
【００１７】
勿論、回転板５００、支持体６００、飾り体７１０，７２０，７３０，７４０、及び飾り駆動機構８００等における各部の構成は、適宜に設計変更が可能であり、図例したものに限定されることはない。
【００１８】
特に、中板１１０、回転板５００、支持体６００、飾り体７１０，７２０，７３０，７４０等は、透明若しくは半透明の部材にて構成することも可能である。かかる場合は、中板１１０等の適宜部位にＬＥＤ等の発光手段を配置し、その発光手段を各部の動作に合せて点滅させるとよい。このような構成によると、時計の装飾性を一層向上することができる。
【００１９】
【発明の効果】
以上説明したように、本発明は、回転可能に設けられた回転板と、前記回転板の正面側に配置された指針と、前記回転板及び前記指針の間に配置された支持体と、前記支持体に配置された飾り体と、前記支持体に配置されるとともに前記飾り体を駆動する飾り体駆動機構とを備えた構成の装飾時計である。このような構成によると、より面白い装飾時計を得ることができる。
【図面の簡単な説明】
【図１】本発明の具体例に係り、装飾時計を示す正面図である。
【図２】本発明の具体例に係り、装飾時計を示す正面図であって、その動きを示したものである。
【図３】本発明の具体例に係り、装飾時計の内部を示す側面透視図である。
【図４】本発明の具体例に係り、中板及び回転板を示す正面透視図である。
【図５】本発明の具体例に係り、回転板、支持体、飾り体、及び飾り体駆動機構を示す正面透視図である。
【図６】本発明の具体例に係り、第３飾り体及びその近傍を示す正面透視図である。
【図７】本発明の具体例に係り、第３飾り体及びその近傍を示す正面透視図である。
【図８】本発明の具体例に係り、第３飾り体及びその近傍を示す側面透視図である。
【符号の説明】
１      装飾時計
１００      時計ケース
１１０      中板
１１１      円形溝
１１２      切欠部
１２０      透明板
１３０      ロック手段
２００      ムーブメント
２１０      指針パイプ
２２０      指針
３００      アンテナ
４００      振り子
４１０      振り子駆動回路
５００      回転板
５１０      プーリ
５２０      ギア体
５３０      カム部
５４０      レバー
５５０      スイッチ
６００      支持体
６０１      係止片
６１０      支柱
７１０      第１飾り体
７１１      支軸
７１２      ガイド部
７１３      係止片
７２０      第２飾り体
７２１      支軸
７２２      ガイド部
７３０      第３飾り体
７３１      支軸
７３２      ガイド部
７３３      指針パイプ貫通部
７３４      バランサ
７３５      コイルばね
７３６      コイルばね係止部
７３７      テンションリングバネ
７３８      スライダ部材
７４０      第４飾り体
７４１      支軸
７４２      ガイド部
８００      飾り体駆動機構
８１０      第１ギア
８２０      第２ギア
８３０      第３ギア
８３１      係止片
８４０      第４ギア
８５０      第５ギア
８５１      係止片
９００      モータ
９１０      出力軸
９２０      回転板駆動用ギア
９３０      駆動伝達ギア
【図１】
2004191292.tif 000003
【図２】
2004191292.tif 000004
【図３】
2004191292.tif 000005
【図４】
2004191292.tif 000006
【図５】
2004191292.tif 000007
【図６】
2004191292.tif 000008
【図７】
2004191292.tif 000009
【図８】
2004191292.tif 000010